(57)【要約】【課題】  設置状況にあわせた柔軟な設定が可能となり、マルチプロジェクションシステムにおけるプロジェクタの置き換え作業が容易にすることができる装置を提供すること。【解決手段】  制御装置は、投写型表示装置の各設定項目の設定値を含む、投写型表示装置の各情報を取得する情報取得手段と、情取得手段で取得した各情報を記憶する記憶手段と、投写型表示装置の置き換え指示を受け付ける置き換え指示受付手段と、置き換え指示を受け付けた際に制御装置に記録されている各情報から複数の投写型表示装置の一覧を取得し、複数の投写型表示装置の中から置き換えられた投写型表示装置を検出する検出手段と、制御装置に記録されてある置き換えられた投写型表示装置の各設定項目の設定値を新しく置き換えた投写型表示装置へと設定する設定手段と、を備えたことを特徴とする構成とした。【選択図】  図１
2018101931.tif 000002
【特許請求の範囲】
【請求項１】
複数の投写型表示装置と、前記投写型表示装置を制御する制御装置と、から成る投写型表示装置設定システムであって、前記制御装置は、投写型表示装置の各設定項目の設定値を含む、前記投写型表示装置の各情報を取得する情報取得手段と、前記情取得手段で取得した各情報を記憶する記憶手段と、前記投写型表示装置の置き換え指示を受け付ける置き換え指示受付手段と、前記置き換え指示を受け付けた際に前記制御装置に記録されている前記各情報から前記複数の投写型表示装置の一覧を取得し、前記複数の投写型表示装置の中から置き換えられた投写型表示装置を検出する検出手段と、前記制御装置に記録されてある前記置き換えられた投写型表示装置の各設定項目の設定値を新しく置き換えた投写型表示装置へと設定する設定手段と、を備えたことを特徴とする投写表示装置設定システム。
【請求項２】
請求項1に記載の投写表示装置設定システムであって、前記情報取得手段で取得する各情報の違いにより、前記設定手段で設定する前記置き換えられた投写型表示装置の設定値を補正する補正手段を備え、前記補正手段によって補正された設定値を前記設定手段で設定することを特徴とする投写型表示装置設定システム 。
【請求項３】
請求項2に記載の投写表示装置設定システムであって、情報の違いが機種の違いであることを特徴とする投写型表示装置設定システム。
【請求項４】
請求項2に記載の投写表示装置設定システムであって、情報の違いがレンズの違いであることを特徴とする投写型表示装置設定システム 。
【請求項５】
請求項1乃至4のいずれか１項に記載の投写表示装置設定システムであって、前記複数の装置は明るさを合わせるための輝度補正手段を備え、前記輝度補正手段によって輝度補正値を決定し、輝度補正手段によって得られた輝度補正値を用いて前記補正手段によって輝度を補正することを特徴とする 投写型表示装置設定システム。
【請求項６】
請求項1乃至5のいずれか１項に記載の投写表示装置設定システムであって、前記設定手段によって設定された設定値とそのまま適用するか確認する確認手段を備え、前記確認手段では、すべての設定項目もしくは各設定項目に設定適用の有無を確認することが可能なことを特徴とする投写型表示装置設定システム。 
【請求項７】
請求項1乃至6のいずれか１項に記載の投写表示装置設定システムであって、前記制御装置が前記複数の投写型表示装置のうち少なくとも1つ以上の投写型表示装置であることを特徴とする投写型表示装置設定システム。
【発明の詳細な説明】
【技術分野】
【０００１】
本発明は、投写型表示装置の置き換えに対して設定を行うシステムに関するものである。
【背景技術】
【０００２】
プロジェクタの経年劣化や故障などにより、プロジェクタを交換する場合には、改めてプロジェクタの設定が必要となる。しかし、プロジェクタ交換のたびに同じ設定を行うのは大変な手間となる。さらに、複数のプロジェクタを用いて大きな1枚の画像を表示するマルチプロジェクションシステムでは、それぞれのプロジェクタに対して設定をする必要がある。
【０００３】
従来、複数のプロジェクタおよび制御装置が互いに接続されている構成においてプロジェクタに対して設定を行う方法が知られている。例えば、特許文献1では、複数のプロジェクタに対して同じ設定情報を一括設定する方法が開示されている。
【先行技術文献】
【特許文献】
【０００４】
【特許文献１】特開2007-226052号公報
【発明の概要】
【発明が解決しようとする課題】
【０００５】
しかしながら、上述の特許文献に開示された従来技術では、どのプロジェクタも同じ設定になってしまい、設置状況によってことなるレンズシフトやズームの設定など、プロジェクタによって異なる設定まで同じ設定にしかすることができず、設置に対する柔軟性に欠ける。
【課題を解決するための手段】
【０００６】
上記目的を達成するために、本発明では、複数の投写型表示装置と、前記投写型表示装置を制御する制御装置と、から成る投写型表示装置設定システムであって、前記制御装置は、投写型表示装置の各設定項目の設定値を含む、前記投写型表示装置の各情報を取得する情報取得手段と、前記情取得手段で取得した各情報を記憶する記憶手段と、前記投写型表示装置の置き換え指示を受け付ける置き換え指示受付手段と、前記置き換え指示を受け付けた際に前記制御装置に記録されている前記各情報から前記複数の投写型表示装置の一覧を取得し、前記複数の投写型表示装置の中から置き換えられた投写型表示装置を検出する検出手段と、前記制御装置に記録されてある前記置き換えられた投写型表示装置の各設定項目の設定値を新しく置き換えた投写型表示装置へと設定する設定手段と、を備えたことを特徴とする。
【発明の効果】
【０００７】
本発明によれば、設置状況にあわせた柔軟な設定が可能となり、マルチプロジェクションシステムにおけるプロジェクタの置き換え作業が容易となる。
【図面の簡単な説明】
【０００８】
【図１】本発明の実施の一形態にかかる投写型表示装置設定システムの構成。
【図２】本発明の各設定項目の設定値を取得するフローチャートである。
【図３】本発明のプロジェクタが置き換えられた際のフローチャートである。
【図４】本発明の各設定項目への設定実施を選択するフローチャートである。
【図５】本発明の実施の一形態にかかる投写型表示装置設定システムの構成。
【図６】本発明の実施の一形態にかかる投写型表示装置設定システムの構成。
【発明を実施するための形態】
【０００９】
以下に、本発明の好ましい実施の形態を、添付の図面に基づいて詳細に説明する。図1は、本発明の実施の一形態にかかる投写型表示装置設定システムの構成図である。
【００１０】
［実施例１］
本発明における制御装置100および、プロジェクタ201乃至202は、例えばネットワークや制御ケーブルによってお互いに通信可能な接続状態である。ここでプロジェクタは2台を記載しているが、説明のため2台としており、本発明において台数の制限はない。プロジェクタ203はプロジェクタ202と置き換えられるプロジェクタを示している。
【００１１】
制御装置100は、プロジェクタ201乃至202の各設定項目を取得するための情報取得部104と、取得した情報を記憶する記憶部101と、置き換え指示を受け付ける置き換え指示受付部103と、置き換え指示を受け付けた際に置き換えられるプロジェクタを検出し、検出されたプロジェクタの情報を前記記憶部から取得する検出部102と、前記検出部によって取得された情報を新たにおきかえるプロジェクタへと設定を行う設定部105を備えている。
【００１２】
ここで、制御装置100の投写型表示装置設定システムの処理について説明する。投写型表示装置設定システムの処理は情報の取得と情報の設定の大きく2つから成り立っており、まず情報の取得について説明する。図2は制御装置100がプロジェクタ201乃至202から各設定項目の設定値を取得するフローチャートである。制御装置100は情報取得リクエストを受け取る（S101）と情報取得部により、通信可能なプロジェクタから各設定項目を取得する（S102）。取得した各設定項目は、記憶部101へと保存する。この際、取得したプロジェクタを識別する識別IDも同時に保存する。
【００１３】
例えば、シリアルナンバーなど個体を判断可能なものを識別IDとして使用する。また、取得する設定項目は、入力信号設定や投影モード設定といった画質に関わる設定や、ズームやレンズシフト、フォーカスといったレンズ操作に関わる設定、キーストンやエッジブレンドといった設置に関わる設定などが含まれる。
【００１４】
さらに、情報取得リクエスト（S101）は、制御装置100に対する操作に対して発行してもよいし、プロジェクタ201乃至202は各設定項目が設定されるたびに前記制御装置100に対して情報取得のリクエストを発行してもよいし、プロジェクタ201乃至202へのユーザの操作による情報取得のリクエストを発行してもよい。次に、情報の設定について説明する。
【００１５】
図3はプロジェクタ201または、202のいずれかが別のプロジェクタ203に置き換えられた際の置き換え前プロジェクタの各設定項目を置き換え後のプロジェクタへ設定するフローチャートである。置き換え指示受付部103が置き換え指示を受け取る（S201）と、検出部102は記憶部からプロジェクタ一覧を取得する（S202）。ここで取得するプロジェクタ一覧は、例えば前記情報取得時に保存していた識別ID一覧となる。
【００１６】
次に、検出部102は、現在接続されているプロジェクタを確認する（S203）。記憶部から取得したプロジェクタ一覧と、現在接続されているプロジェクタ一覧から異なるものを検出する（S204）と、検出部102は記憶部から置き換え前のプロジェクタ202の各設定項目を取得し（S205）、置き換え後プロジェクタの203へ取得した各設定項目を設定する（S206）。検出装置が置き換えられているプロジェクタを検出できなかった場合（S204）は、置き換えられたプロジェクタがないことを通知する（S205）。
【００１７】
このとき、置き換え指示受付部103は制御装置に対するユーザ操作によって置き換え処理を開始してもよいし、プロジェクタ201または202との通信が不可能になり、新たに別のプロジェクタ203との通信が可能となった際に置き換え処理を開始してもよい。図3のS206の際にユーザに対して各設定項目に対して設定を実施するかどうか尋ねてもよい。
【００１８】
図4は各設定項目への設定実施を選択するフローチャートである。設定項目に残りがある場合（S301）、ユーザにたいして設定を行う項目を通知し、設定を行うかどうかを尋ねる（S302）、ユーザが設定実施を選択した場合（S303）、設定部105はプロジェクタへ設定を行う。ユーザが設定実施を選択しなかった場合（S303）、プロジェクタへの設定は行わず次の設定へ移行する。設定項目がない場合（S301）、各設定項目への設定処理を終了する。各設定項目への確認処理はすべての設定項目へ対して行ってもよいし、特定の設定項目に対してのみ行ってもよい。
【００１９】
本実施例によれば、プロジェクタの置き換えに合わせて置き換え前のプロジェクタの各設定項目を置き換え後のプロジェクタが引き継ぐため、設置状況にあわせた柔軟な設定が可能となり、マルチプロジェクションシステムにおけるプロジェクタの置き換え作業が容易となる。
【００２０】
［実施例2］
図5は、本発明の実施の一形態にかかる投写型表示装置設定システムの構成図である。該構成では、置き換え前のプロジェクタの各設定項目を記憶部から取得し、置き換え後のプロジェクタへと設定する際に、プロジェクタ間の違いを考慮した補正値を求め、各設定項目を補正する補正部を備え、プロジェクタ置き換えの際に起こるプロジェクタの違いによる設定値のずれを吸収することが可能となる。補正部によって各設定項目を補正するための計算はあらかじめ記憶部に識別IDとの組で記憶しておき、置き換え前のプロジェクタと置き換え後のプロジェクタの識別IDと各設定項目に合わせて補正値が計算され、置き換え後のプロジェクタへ設定される。
【００２１】
このとき、補正値によって計算された値が、置き換え後のプロジェクタの設定値の範囲に収まらなかったとき、範囲限界まで補正値を設定してもよいし、ユーザへ補正範囲に収まらなかったことを通知し、設定値を設定しないか、範囲限界まで補正値を設定するか選ばせてもよい。
【００２２】
さらに、同じ識別IDのプロジェクタであっても、レンズ種別が異なる場合がある。該構成では、情報取得部はプロジェクタの識別IDとレンズの識別IDを取得し、記憶部へ記憶する。プロジェクタの識別IDと各設定項目に合わせて計算された補正値とは別に、プロジェクタの識別IDとレンズの識別ID、各設定項目に合わせて計算された補正値も記憶部へ記憶しておき、置き換えを検出した際には置き換え前のプロジェクタの識別IDとレンズの識別IDと置き換え後のプロジェクタの識別IDとレンズの識別IDの組み合わせによって補正値を計算し、置き換え後のプロジェクタへ設定をおこなってもよい。
【００２３】
もちろん、補正値によって計算された値が、置き換え後のプロジェクタの設定値の範囲に収まらなかったとき、範囲限界まで補正値を設定してもよいし、ユーザへ補正範囲に収まらなかったことを通知し、設定値を設定しないか、範囲限界まで補正値を設定するか選ばせてもよい。さらに、実施例1と同様に、図4に従って各項目の設定実施をユーザに選択させてもよいし、補正部を使用せずに設定するように選択させてもよい。
【００２４】
本実施例によれば、プロジェクタの置き換えに合わせて置き換え前のプロジェクタの各設定項目を置き換え後のプロジェクタが引き継ぎ、その際にプロジェクタ間の違いを吸収するため、設置状況にあわせた柔軟な設定が可能となり、マルチプロジェクションシステムにおけるプロジェクタの置き換え作業が容易となる。
【００２５】
［実施例3］
図5は、本発明の実施の一形態にかかる投写型表示装置設定システムの構成図である。該構成では、プロジェクタ置き換え前後の明るさを合わせるための情報を収集するための輝度補正部211を備え、輝度補正部211は、プロジェクタの明るさを計測する。情報取得部104は、前記輝度補正部211で計測した明るさを取得し、記憶部に記憶する。補正部106は、置き換えられるプロジェクタの識別IDおよびレンズ識別IDから明るさを補正するための補正値を計算し、設定部105は補正値を置き換え後のプロジェクタへ設定する。
【００２６】
さらに、実施例1と同様に、図4に従って各項目の設定実施をユーザに選択させてもよいし、補正部を使用せずに設定するように選択させてもよい。輝度補正部は、たとえば校正をおこなった光センサで計測した値とプロジェクタ間およびレンズ種別によって補正値を計算してもよいし、ランプ使用時間とプロジェクタ間およびレンズ種別によって補正値を計算してもよい。
【００２７】
本実施例によれば、プロジェクタの置き換えに合わせて置き換え前のプロジェクタの各設定項目を置き換え後のプロジェクタが引き継ぎ、その際に明るさの違いを吸収するため、設置状況にあわせた柔軟な設定が可能となり、マルチプロジェクションシステムにおけるプロジェクタの置き換え作業が容易となる。
【００２８】
［実施例4］
本実施形態に関わる投写型表示装置設定システムの構成として、制御装置100を省略し、すくなくとも1台以上のプロジェクタを制御装置100として構成してもよい。この際、補正値の記憶を各プロジェクタに分割してもよいし、特定のプロジェクタのみが補正値を記憶してもよいし、すべてのプロジェクタが補正値の記憶を行ってもよい。
【００２９】
本実施例によれば、プロジェクタのほかに装置を準備する必要がなく、設置状況にあわせた柔軟な設定が可能となり、マルチプロジェクションシステムにおけるプロジェクタの置き換え作業が容易となる。
【００３０】
以上、本発明の好ましい実施形態について説明したが、本発明はこれらの実施形態に限定されず、その要旨の範囲内で種々の変形及び変更が可能である。
【符号の説明】
【００３１】
100  制御装置
101  記憶部
102  検出部
103  置き換え指示受付部
104  情報取得部
105  設定部
106  補正部
201〜203  プロジェクタ
【図１】
2018101931.tif 000003
【図２】
2018101931.tif 000004
【図３】
2018101931.tif 000005
【図４】
2018101931.tif 000006
【図５】
2018101931.tif 000007
【図６】
2018101931.tif 000008